(57)【要約】【課題】使用者が電話番号入力操作を行うときに、わかりやすいように登録電話番号を案内することができ、且つ電話登録も自動で行うことができるようにする。【解決手段】ＲＡＭ２３の電話番号リストの各電話番号から先頭数字（図３では左端の数字）を抽出する。抽出した先頭数字のキーボタンの発光部２０を点灯する。使用者は、通話相手の電話番号の数字に該当する数字入力キーボタンを押す。制御部１７は、点灯ボタンの発光体を消灯し、入力した数字と抽出した数字（点灯したキーボタンの数字）を比較し、一致するか否かを判定する。制御部１７は、数字が一致すれば、抽出した数字を削除するとともに、数字が一致していなかった電話番号も電話番号リストから削除する（ステップＳ１８）。こうして、次の電話番号を点灯する。【選択図】図１
2007201744.tif 000002
【特許請求の範囲】
【請求項１】
電話番号を入力する数字入力キーと、
該数字入力キーを個別に点灯可能な発光部と、
相手先の電話番号を記憶する記憶部と、
使用者に通話相手の電話番号を案内するため各部を制御する制御部とを備え、
前記制御部は、
前記記憶手段に記憶された電話番号の中から既に入力された数字列に一致する電話番号を抽出し、その電話番号に基づいて、次の入力数字を抽出する抽出手段と、
抽出数字の数字入力キーの発光部を点灯させる点灯手段とを備えたことを特徴とする電話装置。
【請求項２】
前記制御部は、
入力された数字と前記記憶手段に記憶された電話番号の数字が一致するかを判定する一致判定手段と、
前記一致判定手段が不一致と判断した場合、点灯による案内を中止する案内中止手段とを備えたことを特徴とする請求項１記載の電話装置。
【請求項３】
前記制御部は、
一定時間通話した相手先電話番号を記憶部に記憶する手段を備えたことを特徴とする請求項１又は２に記載の電話装置。
【請求項４】
前記制御部は、
番号入力案内モードを抜けて通常入力モードに遷移した際に全ての数字入力キーの発光部を点灯、もしくは消灯し、点灯による案内の中止を通知する手段を備えたことを特徴とする請求項１、２又は３に記載の電話装置。
【発明の詳細な説明】
【技術分野】
【０００１】
本発明は、相手先の電話番号を使用者に案内して電話入力の補助を行うことができる電話装置に関する。
【背景技術】
【０００２】
近年、老人向けの携帯電話として、通話のみの単機能のものが市場に登場している。この携帯電話は、できる限り機能を省くことにより、操作を単純にして扱い易いようにしている。例えば、通話機能に絞って表示部も搭載されていないものがあり、数字キーを操作して電話番号を入力し、通話する機能のみを備えている。このような携帯電話においては、予めメモリに相手先の電話番号リストを記憶しておき、必要な時に読み出して表示部に表示するということができない。
【０００３】
そこで、入力操作を容易にするために、例えば特許文献１に記載のように、ワンタッチダイヤル機能や短縮ダイヤル機能により、少ないキー操作で発呼するものがある。これを利用することにより、電話番号をすべて覚えておく必要はなくなる。
また、特許文献２に記載が有るように、リダイヤル機能により、受信した相手先の電話番号を記憶しておいて、相手が通話中以外のときに発呼する機能を備えるものがある。この場合も、直前の受信相手には電話番号を覚えていなくとも簡単に電話を掛けることができる。
【特許文献１】特開２００４−１１２３５３号公報
【特許文献２】特開２００２−１１１８４３号公報
【発明の開示】
【発明が解決しようとする課題】
【０００４】
しかしながら、ワンタッチダイヤル機能や短縮ダイヤル機能であっても、どこの入力キーに誰の電話番号を割り当てていたのかを使用者が記憶しておく必要があり、それを忘れてしまった場合にはこの機能を利用できない。
また、各入力キーに相手先電話番号を割り当てて登録する必要があるが、その登録操作が煩雑である。
また、リダイヤル機能は直前の受信電話番号には有効であるが、それ以外の電話番号に掛けるときは全く役に立たない。
【０００５】
そこで、本発明は、使用者が電話番号入力操作を行うときに、わかりやすいように登録電話番号を案内することができ、且つ電話番号登録も自動で行うことができる電話装置を提供することを目的とする。
【課題を解決するための手段】
【０００６】
本発明は、電話番号を入力する数字入力キーと、該数字入力キーを個別に点灯可能な発光部と、相手先の電話番号を記憶する記憶部と、使用者に通話相手の電話番号を案内するため各部を制御する制御部とを備え、
前記制御部は、前記記憶手段に記憶された電話番号の中から既に入力された数字列に一致する電話番号を抽出し、その電話番号に基づいて、次の入力数字を抽出する抽出手段と、抽出数字の数字入力キーの発光部を点灯させる点灯手段とを備えたことを特徴とするものである。
【０００７】
また、前記制御部は、入力された数字と前記記憶手段に記憶された電話番号の数字が一致するかを判定する一致判定手段と、前記一致判定手段が不一致と判断した場合、点灯による案内を中止する案内中止手段とを備えたことを特徴とする。
【０００８】
また、前記制御部は、一定時間通話した相手先電話番号を記憶部に記憶する手段を備えたことを特徴とする。
【０００９】
さらに、前記制御部は、番号入力案内モードを抜けて通常入力モードに遷移した際に全ての数字入力キーの発光部２０を点灯、もしくは消灯し、点灯による案内の中止を通知する手段を備えたことを特徴とする。ここで、通常入力モードとは、使用者が数字入力キーを用いて番号をすべて入力するモードであり、前述の番号を案内するモードとは異なるものである。
【発明の効果】
【００１０】
本発明によれば、表示部を備えていない携帯電話であっても、使用者に記憶部に登録されている電話番号リストの電話番号が、入力に合わせて順に点灯案内される。こうして、上記入力補助を行うことにより、電話番号の入力の操作性を向上できる。
【００１１】
また、入力された数字と前記記憶手段に記憶された電話番号の数字が一致しなければ、案内モードは中止されるので、すぐに通常入力に切り替わるため、使用者も記憶手段に記憶されていないことがすぐに分かる。
【００１２】
また、一定時間通話した相手の電話番号を記憶するので、電話番号の登録操作が不要で操作性が向上する。
【００１３】
さらに、通常入力モードに遷移したことを通知するので、使用者は通常入力モードに遷移したことを直ちに知ることができる。
【発明を実施するための最良の形態】
【００１４】
以下、本発明の実施の形態を添付図面を参照して説明する。
【００１５】
図１は、本発明に係る携帯電話の一実施形態を示すブロック図である。この携帯電話は、アンテナ１１、無線部１２、ベースバンド部１３、音声処理部１４、マイク１５、スピーカ１６、制御部１７、操作部１８、記憶部２１から構成される。操作部１８は、数字キーボタンや操作キーボタンを備えたキー部１９と、そのキー部１９の内部に備えたＬＥＤ等の発光体からなる発光部２０とからなる。記憶部２１は、長期記憶を可能とするフラッシュメモリ２２と、データ処理のために一時記憶を行うＲＡＭ２３とからなる。
なお、この携帯電話は老人向けの通話機能だけのモデルであり、液晶等からなる表示部分は備えていない。
【００１６】
次に、この携帯電話の動作の概略を説明する。
アンテナ１１を介して無線部１２で電波を送受信する。受信した電波はベースバンド部１３でベースバンド信号に落とされ、音声処理部１４で復号化されてスピーカに送出され、音声となって発音される。一方、使用者の音声は、マイク１５により電気信号に変換され、音声処理部１４で符号化される。そして、ベースバンド部１３でベースバンド信号に変換され、無線部１２で変調を受けてアンテナ１１から電波として送信される。
【００１７】
送受信の折りに、使用者は操作部１８のキー部１９のボタンを押圧することにより、操作を行う。記憶部２１のフラッシュメモリ２２は、通話相手の電話番号等の保存を必要とするデータを記憶する。ＲＡＭ２３は、フラッシュメモリ２２のデータを用いてデータ加工する場合に一時的にデータを記憶しておくところである。各部は制御部１７により制御される。
【００１８】
図２は、フラッシュメモリ２２に相手先電話番号を記憶する処理手順を示すフローチャートである。
使用者は、発信あるいは着信による通話を開始すると（ステップＳ１）、制御部１７のタイマがカウントを始める（ステップＳ２）。通話が一定時間を超える場合（ステップＳ３）、制御部１７は、通話相手の電話番号をフラッシュメモリ２２に登録する（ステップＳ４）。図３には、フラッシュメモリ２２に登録された電話番号のリストを示す。
【００１９】
こうして、自動的に電話番号が記憶部２１に登録されるので、使用者は面倒な電話番号の登録処理を行う必要がなくなり、操作が苦手な老人等には使い易くなる。
【００２０】
さて、この携帯電話１０は、表示部を備えていないため、フラッシュメモリ２２に記憶した相手先電話番号を表示できない。そこで、キーボタンの内部にある発光体を発光させて、使用者に電話番号を案内報知する機能が備えられている。操作部１８のキー部には、キーボタンを発光させて電話番号を案内する案内モードキーボタンが備えられている。このボタンが押されなければ、キーボタンを発光させない通常入力モードとなる。
【００２１】
図４は、本発明に係る携帯電話が相手先を案内する処理手順を示すフローチャートである。
ユーザが操作部１８の案内モードキーボタンを押すと、制御部１７がそれを確認し（ステップＳ１１）、番号入力の案内モードとしてステップＳ１２に進む。制御部１７は、案内モードキーボタンが押されていなければ、通常入力モードとする（ステップＳ２０）。
【００２２】
ステップＳ１２において、制御部１７は、フラッシュメモリ２２のデータから電話番号リストをＲＡＭ２３のワークエリアに作成する。ＲＡＭ２３の電話番号リストの各電話番号から先頭数字（図３では左端の数字）を抽出する（ステップＳ１３）。抽出した先頭数字のキーボタンの発光部２０を点灯する（ステップＳ１４）。使用者は、通話相手の電話番号の数字に該当する数字入力キーボタンを押す（ステップＳ１５）。制御部１７は、点灯ボタンの発光体を消灯し（ステップＳ１６）、入力した数字と抽出した数字（点灯したキーボタンの数字）を比較し、一致するか否かを判定する（ステップＳ１７）。制御部１７は、数字が一致すれば、抽出した数字を削除するとともに、数字が一致していなかった電話番号も電話番号リストから削除する（ステップＳ１８）。こうしておけば、常に入力すべき次の数字が先頭の位置（図３の電話番号では左端）にあることになるとともに、入力数字に該当しなくなった電話番号も電話番号リストから削除されるため、常に入力された数字列に一致した電話番号のみが残っていく。
【００２３】
次に、ＲＡＭ２３にある電話番号リストに電話番号があるかを確認し（ステップＳ１８）、電話番号が残っていればステップＳ１３に戻り、電話番号がリストに残っていなければ処理を終了する。
ステップＳ１７にて比較した数字が異なっていれば、発光体による案内モードを中止し、通常入力モードの処理に遷移する（ステップＳ２０）。
【００２４】
なお、制御部１７は、前述の番号入力の案内モードを抜けて通常入力モードに遷移した場合、全ての数字入力キーの発光部２０を点灯、もしくは消灯し、点灯による案内の中止を使用者に通知する。こうして、使用者は通常入力モードに遷移したことが直ちに分かる。
【００２５】
図３の具体的電話番号に基づいて、上記処理を説明する。
図３に示すように、フラッシュメモリ２２には図３に示すような、電話番号リストが記憶されているとする。まず、ステップＳ１１に有るように、ＲＡＭ１１のワークエリアに加工可能なようにコピーされる。このとき６個の電話番号の先頭数字はすべて「０」なので、制御部１７は「０」ボタンを点灯する（ステップＳ１４）。使用者が「０」を押さなければ（例えば１１０を押すために「１」を押した場合）、ステップＳ１７，Ｓ２０により、通常入力モードになる。こうして、通常入力モードになったことにより、使用者に記憶部２１に記憶されている電話番号リストに電話番号がないことがわかる。
【００２６】
使用者がステップＳ１５で使用者が「０」を入力したとすると、ステップＳ１７で電話番号の先頭数字と入力数字が一致しているので、６個すべての電話番号が相手先候補となる。ステップＳ１８で「０」が削除される。ステップＳ１３で先頭数字は「８」と「９」であるので、制御部１７は「８」のキーボタンと、「９」のキーボタンを点灯する（ステップＳ１４）。使用者が「９」を入力したとすると、入力数字と先頭数字が一致しない電話番号（１）、（２）、（３）は削除される（ステップＳ１８）。
【００２７】
再びステップＳ１３に戻るが、次はすべて「０」であるので、ステップ１４で「０」のキーボタンのみを点灯し、使用者がステップＳ１５で「０」を押したとするとステップＳ１９からステップＳ１３に戻る。次の（４）、（５）、（６）の電話番号の先頭数字は「１」、「８」、「２」であるので、制御部１７は「１」、「８」、「２」の各キーボタンを点灯する（ステップＳ１４）。ステップＳ１５で、使用者が「２」を入力したとすると、入力数字に一致していない電話番号（４）、（５）は、ステップＳ１８で削除され、（６）の「（０９０２）３１６７８５９（カッコ内数字は削除されている）」のみが残ることになる。以降は、ステップＳ１３〜Ｓ１９を繰り返して電話番号（６）の残りの数字が順に点灯されて案内される。
【００２８】
こうして、表示部を備えていない携帯電話であっても、使用者に記憶部２１に登録されている電話番号リストの電話番号が、入力に合わせて順に点灯案内される。こうして、上記入力補助を行うことにより、電話番号の入力の操作性を向上できる。
【００２９】
なお、この機能は入力補助のための機能であり、従来のように、ワンタッチダイヤル機能や短縮ダイヤル機能、あるいはリダイヤル機能が備えられている電話装置に用いてもよいし、表示部を有する電話装置に用いてもよい。
【図面の簡単な説明】
【００３０】
【図１】本発明に係る携帯電話の一実施形態を示すブロック図である。
【図２】フラッシュメモリ２２に相手先電話番号を記憶する処理手順を示すフローチャートである。
【図３】フラッシュメモリ２２に登録された電話番号のリストを示す説明図である。
【図４】本発明に係る携帯電話が相手先を案内する処理手順を示すフローチャートである。
【符号の説明】
【００３１】
１０  携帯電話
１１  アンテナ
１２  無線部
１３  ベースバンド部
１４  音声処理部
１５  マイク
１６  スピーカ
１７  制御部
１８  操作部
１９  キー部
２０  発光部
２１  記憶部
２２  フラッシュメモリ
【図１】
2007201744.tif 000003
【図２】
2007201744.tif 000004
【図３】
2007201744.tif 000005
【図４】
2007201744.tif 000006